(57)【要約】 【課題】コンバージョンレンズが装着されたとしても上記ＣＣＤＡＦが確実に行なわれるレンズユニットを提供する。【解決手段】コンバージョンレンズの着脱を検出する検出センサ１１３ａによりコンバージョンレンズの装着が検出されたことを受けてヘッドＣＰＵ１９ａが測距センサ１１１ａの使用を禁止する。このときには少々時間を要するが、ヘッドＣＰＵ１９ａは積算回路１８ａにＣＣＤＡＦを行なわせることにより被写体距離の測定を行なう。【選択図】図２
2007226131.tif 000002
【特許請求の範囲】
【請求項１】
撮影光学系と撮像素子とを備え、カメラ本体に着脱自在に装着されるレンズユニットにおいて、
先端部に配備された、被写体までの距離を測定する測距センサと、
前記撮影光学系前面および前記測距センサ前面に広がりコンバージョンレンズを着脱自在に支持するコンバージョンレンズ支持部と、
前記コンバージョンレンズの着脱を検出する検出センサと、
前記検出センサによりコンバージョンレンズの装着が検出されたことを受けて前記測距
センサの使用を禁止する使用許否手段とを備えたことを特徴とするレンズユニット。
【請求項２】
撮影光学系と撮像素子とを備え、カメラ本体に着脱自在に装着されるレンズユニットにおいて、
先端部に配備された、被写体までの距離を測定する測距センサと、
前記撮影光学系前面および前記測距センサ前面に広がりコンバージョンレンズを着脱自在に支持するコンバージョンレンズ支持部と、
前記コンバージョンレンズの着脱および装着されたコンバージョンレンズの種類を検出する検出センサと、
前記検出センサにより特定の種類のコンバージョンレンズの装着が検出されたことを受けて前記測距センサの使用を禁止する使用許否手段とを備えたことを特徴とするレンズユニット。
【請求項３】
撮影光学系と撮像素子とを備え、カメラ本体に着脱自在に装着されるレンズユニットにおいて、
先端部に配備された、被写体までの距離を測定する、前記撮影光学系の被写体側に延びる光軸との間の睨み角が異なる複数の測距センサと、
前記撮影光学系前面および前記測距センサ前面に広がりコンバージョンレンズを着脱自在に支持するコンバージョンレンズ支持部と、
前記コンバージョンレンズの着脱を検出する検出センサと、
前記検出センサによりコンバージョンレンズの装着が検出されたことを受けて前記複数の測距センサのうちの距離測定のために用いる測距センサを選択するセンサ選択手段とを備えたことを特徴とするレンズユニット。
【請求項４】
前記検出センサが、コンバージョンレンズの着脱を検出するとともに装着されたコンバージョンレンズの種類を検出するものであって、
前記センサ選択手段は、前記検出センサによりコンバージョンレンズの種類に応じて前記複数の測距センサのうちの距離測定に用いる測距センサを選択するものであることを特徴とする請求項３記載のレンズユニット。
【発明の詳細な説明】
【技術分野】
【０００１】
撮影光学系と撮像素子とを備え、カメラ本体に着脱自在に装着されるレンズユニットに関する。
【背景技術】
【０００２】
レンズユニットとそのレンズユニットが着脱自在にカメラ本体とからなるカメラシステムにおいては、カメラ本体側に被写体距離を測定する測距センサを取り付けてしまうと、レンズユニットがカメラ本体に装着されたときにその測距センサの光軸がそのレンズユニットにけられてしまうことがある。
【０００３】
そこで、レンズユニット内に測距センサを搭載したり、レンズユニットの先端部に測距センサを配設したりして測距センサの光軸がレンズユニットにけられることを防止しているものがある（例えば特許文献１、２参照））。
【０００４】
しかし、特許文献１や特許文献２のものでは、テレコンバータ（以降テレコンという）、ワイドコンバータ（以降ワイコンという）といったコンバージョンレンズがレンズユニットに装着された場合に、測距センサの被写体側に延びる光軸と、撮影光学系の被写体側に延びる光軸との間の角度（以降の説明においては測距センサの睨み角という）が変化してしまう恐れがある。
上記のようなレンズユニットにあっては、撮像素子で生成した画像データに基づいても測距（以降ＣＣＤＡＦという）を行なっているものもあり、そういうものにあっては上記測距センサはそのＣＣＤＡＦを行なうときの探索範囲を狭めて高速ＡＦを実現しようするときに用いられる。したがって上記測距センサの睨み角がずれると、上記測距センサにより概略の被写体距離を検出してその被写体距離周辺についてＣＣＤＡＦを行なうものにあっては、上記測距センサにより測定した被写体距離が正確に測定されないか、あるいは全く測定されなくなってその被写体距離の周辺でＣＣＤＡＦを行なったとしても合焦位置がなかなか見つからないということが起こる。
【特許文献１】特公昭５６−０５４６０９号公報
【特許文献２】特開２００５−２７５２８１号公報
【発明の開示】
【発明が解決しようとする課題】
【０００５】
そこで、本発明は、上記事情に鑑み、コンバージョンレンズが装着されたとしても上記ＣＣＤＡＦによる被写体距離の測定が確実に行なわれるレンズユニットを提供することを目的とする。
【課題を解決するための手段】
【０００６】
上記目的を達成する本発明の第１のレンズユニットは、撮影光学系と撮像素子とを備え、カメラ本体に着脱自在に装着されるレンズユニットにおいて、
先端部に配備された、被写体までの距離を測定する測距センサと、
上記撮影光学系前面および上記測距センサ前面に広がりコンバージョンレンズを着脱自在に支持するコンバージョンレンズ支持部と、
上記コンバージョンレンズの着脱を検出する検出センサと、
上記検出センサによりコンバージョンレンズの装着が検出されたことを受けて上記測距
センサの使用を禁止する使用許否手段とを備えたことを特徴とする。
【０００７】
前述した様に、上記測距センサにより概略の被写体距離を検出してその被写体距離周辺についてＣＣＤＡＦを行なうものにあっては、上記コンバージョンレンズが装着されたことにより上記測距センサの睨み角がずれてしまって上記測距センサにより測定した被写体距離がずれるかあるいは測定されなくなってその被写体距離の周辺でＣＣＤＡＦを行なったとしても合焦位置がなかなか見つからないという問題があった。
【０００８】
そこで、上記本発明の第１のレンズユニットでは上記検出センサによりコンバージョンレンズの装着が検出されたことを受けて上記使用許否手段によって測距センサの使用が禁止されＣＣＤＡＦのみが行なわれて被写体距離の測定が行なわれる。
【０００９】
そうすると被写体距離の測定に要する時間は長くなるが合焦位置が正確にかつ確実に測定される。
【００１０】
以上説明した様にコンバージョンレンズが装着されたとしても上記ＣＣＤＡＦが確実に行なわれるレンズユニットが実現する。
【００１１】
上記目的を達成する本発明の第２のレンズユニットは、撮影光学系と撮像素子とを備え、カメラ本体に着脱自在に装着されるレンズユニットにおいて、
先端部に配備された、被写体までの距離を測定する測距センサと、
上記撮影光学系前面および上記測距センサ前面に広がりコンバージョンレンズを着脱自在に支持するコンバージョンレンズ支持部と、
上記コンバージョンレンズの着脱および装着されたコンバージョンレンズの種類を検出する検出センサと、
上記検出センサにより特定の種類のコンバージョンレンズの装着が検出されたことを受けて上記測距センサの使用を禁止する使用許否手段とを備えたことを特徴とする。
【００１２】
上記本発明の第１のレンズユニットでは、上記使用拒否手段が上記測距センサの使用を一律禁止したが、上記コンバージョンレンズの種類（例えばワイドコンバータ側のコンバージョンレンズ等）によっては上記測距センサを用いることができる場合もある。
【００１３】
そこで、例えば特定の種類のレンズユニット（例えばテレコンバータ側のコンバージョンレンズ）の装着が検出されたときにのみ上記使用拒否手段が上記測距センサの使用を禁止する構成にしておいても良い。
【００１４】
また上記目的を達成する本発明の第３のレンズユニットは、撮影光学系と撮像素子とを備え、カメラ本体に着脱自在に装着されるレンズユニットにおいて、
先端部に配備された、被写体までの距離を測定する、上記撮影光学系の被写体側に延びる光軸との間の睨み角が異なる複数の測距センサと、
上記撮影光学系前面および上記測距センサ前面に広がりコンバージョンレンズを着脱自在に支持するコンバージョンレンズ支持部と、
上記コンバージョンレンズの着脱を検出する検出センサと、
上記検出センサによりコンバージョンレンズの装着が検出されたことを受けて上記複数の測距センサのうちの距離測定のために用いる測距センサを選択するセンサ選択手段とを備えたことを特徴とする。
【００１５】
上記本発明の第３のレンズユニットによれば、先端部に配備された、被写体までの距離を測定する上記測距センサのその睨み角が異なる複数の測距センサが備えられていることが利用され、コンバージョンレンズが装着されたことを受けて上記センサ選択手段によって上記複数の測距センサのうちのいずれかが選択される。
【００１６】
上記測距センサが、睨み角の異なる複数の測距センサで構成されている場合には、上記コンバージョンレンズが装着され上記複数の測距センサそれぞれの睨み角がずれたとしてもいずれか一つの測距センサが、上記コンバージョンレンズがこのレンズユニットに装着されていないときの睨み角と同じ睨み角を持つことになる。
【００１７】
そこで上記センサ選択手段を設けてそのセンサ選択手段によって複数の測距センサのうちのいずれかを選択する構成にすることで、必ず好適な測距が行なわれる様にしている。
【００１８】
選択した測距センサにより測定が行なわれると、その測距センサによる被写体距離の測定がほぼ正確に行なわれその概略距離の測距結果に基づいて上記ＣＣＤＡＦが短時間のうちに確実に行なわれる。
【００１９】
以上説明した様に、コンバージョンレンズが装着されたとしても上記ＣＣＤＡＦが確実に行なわれるレンズユニットが実現する。
【００２０】
ここで上記検出センサが、上記コンバージョンレンズの着脱を検出するとともに装着されたコンバージョンレンズの種類を検出するものであって、
上記センサ選択手段は、上記検出センサにより上記コンバージョンレンズの種類に応じて上記複数の測距センサのうちの距離測定に用いる測距センサを選択するものであるとなお良い。
【００２１】
そうすると、コンバージョンレンズの種類に応じて上記選択手段によって的確に測距センサが選択される。
【発明の効果】
【００２２】
以上、説明したように、コンバージョンレンズが装着されたとしても確実に測距が行なわれるレンズユニットが実現する。
【発明を実施するための最良の形態】
【００２３】
以下、本発明の実施の形態について説明する。
【００２４】
図１は、本発明の一実施形態であるレンズユニットを示す図である。
【００２５】
図１を参照してまずレンズユニット１ａを説明する。
【００２６】
図１に示すレンズユニット１ａは、撮影光学系と撮像素子とを備え、カメラ本体１ｂに着脱自在に装着されるものである。レンズユニット１ａには、先端部に配備された被写体までの距離を測定する測距センサ１１１ａと、撮影光学系前面および測距センサ前面に広がりコンバージョンレンズ２ａを着脱自在に支持するコンバージョンレンズ支持部１１２ａと、コンバージョンレンズ２ａの着脱を検出する検出センサ１１３ａとが備えられている。なお、この例では、上記コンバージョレンズ支持部１１２ａがバヨネット式の取付構造を有している。
【００２７】
また、本実施形態においては、コンバージョンレンズ２ａの着脱を検出する検出センサ１１３ａによりコンバージョンレンズ３ａの装着が検出されたことを受けて測距センサ１１１ａの使用を禁止する本発明にいう使用許否手段となるヘッドＣＰＵ１９ａが配備された例が示されている。詳細は後述する。
【００２８】
また、このレンズユニット１ａが装着されるカメラ本体１ｂのボディ正面上方には、ＡＷＢセンサ１１ｂや閃光発光窓１２ｂが配備されており、そのＡＷＢセンサ１１ｂにより検出された光源種に応じてカメラ本体１ｂ側の後述するデジタル信号処理部でホワイトバランス処理が行なわれたり、被写界輝度が暗いときには、後述する積算回路による測光結果に応じて閃光発光窓１２ｂから閃光が発光されたりする。
【００２９】
さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかなども選択される様になっている。なお、モードダイヤル１４ｂには一体的に電源スイッチも配備されており、そのモードダイヤル１４ｂの操作により電源が投入されるようにもなっている。
【００３０】
ここで図２を参照してレンズユニット１ａがカメラ本体１ｂに装着されて撮影が行なわれるときの動作を簡単に説明しておく。
【００３１】
図２はレンズユニット１ａがカメラ本体１ｂに装着された状態にあるときの電気系統の構成を示すブロック図である。
【００３２】
図２の上方側にはレンズユニット１ａの構成が、また図２の下方側にはカメラ本体１ｂの構成がそれぞれ示されている。
【００３３】
本実施形態のカメラシステム１は、カメラ本体が備えるバッテリＢｔからの電力の供給を受けてカメラ本体１ｂ並びにレンズユニット１ａが動作するものであって、電源スイッチを兼ねる撮影モードダイヤル１４ｂが撮影モードに切り替えられた状態にあったら撮影処理が開始される。
【００３４】
この例においては、カメラ本体１ｂの動作を統括的に制御する本体ＣＰＵ１００ｂに対してレンズユニット１ａが装着されたことを通知することができるようにするため、上記電源制御部１４０ｂがラッチ部１６０ｂの内容を書き換えることによりＩ／Ｏ部１６１ｂの内容を書き換えて本体ＣＰＵ１００ｂにレンズユニット１ａが装着されたことを通知する構成としている。
【００３５】
このような構成にしておくと、本体ＣＰＵ１００ｂは、Ｉ／Ｏ部１６１ｂの内容が書き換えられたことによりレンズユニット１ａがカメラ本体に装着されたことを検知したときにモードダイヤル１４ｂにより撮影モードが選択されていたときには、３線シリアルドライバ１５１ｂにより駆動される３線シリアルインターフェースを用いてヘッドＣＰＵ１９ａにスルー画の送信要求を行なうことができる。さらにその送信要求をシリアルドライバ１５１ａを介して受け取ったヘッドＣＰＵ１９ａは、絞り／フォーカス／ズーム制御部１７ａに指示して撮像素子（ここではＣＣＤ固体撮像素子が用いられているので以降ＣＣＤという）１２ａに所定のフレームレートでスルー画を表わす画像信号の生成を開始させることができる。
【００３６】
そのヘッドＣＰＵ１９ａは、上記絞り／フォーカス／ズーム制御部１７ａに、撮影光学系１１ａ内の撮影レンズの中のフォーカスレンズの位置や絞りの開口径などを後段の積算回路（ＡＥ／測距用）からの被写体距離の測定結果および測光結果に応じて制御させるとともに、ＣＣＤ１２ａやＴＧ１８ａの駆動モードを切り替える制御を行なうものであって、本体側からスルー画の送信要求を受けたときにはＣＣＤ１２ａとＴＧ１８ａとの双方の駆動モードをスルー画モードに切り替えさせた上でＴＧ１８ａに例えば１／３０ｓのフレームレートでＣＣＤ１２ａを駆動させることによりスルー画信号をアナログ信号処理部１３ａへと出力させている。
【００３７】
こうしてＣＣＤ１２ａから出力させた画像信号が、アナログ信号処理部１３ａに供給されアナログ信号処理部１３ａでノイズの低減処理などが行なわれた後、後段のＡ／Ｄ部１４ａでアナログのスルー画信号がデジタルのスルー画信号に変換されて高速シリアルドライバ１５０ａに供給される。この高速シリアルドライバ１５０ａにより駆動される高速シリアルインターフェースを通してカメラ１ｂ本体側にデジタル信号になったスルー画信号が送信される。
【００３８】
本実施形態では、上記積算回路１６ａと絞り／フォーカス／ズーム制御部１９ａと撮影光学系内のフォーカスレンズとが前述のＣＣＤＡＦを行なう部分にあたる。さらにこの例ではその積算回路１６ａによる被写体距離の測定に要する時間の短縮化を図るためにレンズユニット１ａの先端部に被写体までの概略の距離を測定する測距センサ１１１ａが配備されている。その測距センサによる被写体距離の概略の測定結果に応じて積算回路によってその測定結果の被写体距離周辺のＣＣＤＡＦが行なわれる様になっている。
【００３９】
以上がレンズユニットの動作である。
【００４０】
ここからはレンズユニット１ａがカメラ本体１ｂに装着された状態にあるときのカメラ本体１ｂの動作の方を説明する。
【００４１】
レンズユニット１ａ側の高速シリアルドライバ１５０ａにより駆動される高速シリアルインターフェースを通ってカメラ本体１ｂに次々と送信されてくるスルー画信号が、デジタル信号処理部１０３ｂに供給され、このデジタル信号処理部１０３ｂでＲＧＢのスルー画信号がＹＣのスルー画信号に変換された後、ＹＣ信号に変換されたスルー画信号がフレームメモリ１０４ｂに所定の間隔ごとに次々と記憶されていく。このフレームメモリ１０４ｂに記憶されたＹＣ信号のスルー画信号がＬＣＤ制御部１０５ｂに供給されＬＣＤ制御部１０５ｂによってＬＣＤ１０５０ｂのパネル上にそのスルー画信号に基づくスルー画が表示される。このためフレームメモリ１０４ｂ内の内容が、所定のフレームレートごとに書き換えられていってＬＣＤ１０５０ｂのパネル上の画像が次々と切り替えられていくことによりＬＣＤ１０５０ｂ上にスルー画が表示される。
【００４２】
ここで、ＬＣＤ１０５０ｂのパネル上のスルー画を見ながらユーザによってレリーズ釦１３ｂが押されたときには、本体ＣＰＵ１００ｂにレリーズ信号が供給されるとともに、ヘッドＣＰＵ１９ａにもレリーズ信号が供給される。このカメラシステムを構成するカメラ本体１ｂが備えるレリーズ釦１３ｂは、半押し、全押しの２つの操作態様を持つものであるので、半押しに応じてヘッドＣＰＵ１９ａは、ＣＣＤ１２ａおよびＴＧ１８ａの駆動モードをＡＥモードさらに測距モードと順次切り替えていき、ＴＧ１８ａからＣＣＤ１２ａにそれらのモードに応じたタイミング信号を供給させることにより積算回路１６ａに向けて画像信号の出力を行なわせている。このときには測距センサ１１１ａからの測距結果もヘッドＣＰＵ１９ａからバス１９２ａを介して積算回路１６ａに伝えられて探索範囲が狭められてから短時間のうちに被写体距離の測定が行なわれる様になっている。
【００４３】
こうして短時間のうちに精度良くピント調整等が行なわれた後、ヘッドＣＰＵ１９ａは全押しタイミングでＴＧ１８ａに露光開始信号を供給させることによりＣＣＤ１２ａに露光を開始させ、さらに所定の秒時が経過した後、ＴＧ１８ａに今度は露光終了信号および全画素読出用の駆動信号を供給させることにより画像信号をＣＣＤ１２ａからアナログ信号処理部１３ａへと出力させている。
【００４４】
その後、そのアナログ信号処理部１３ａで画像信号のノイズが低減され、さらにＡ／Ｄ変換部１４ａでアナログの画像信号がデジタルの画像信号に供給される。さらにデジタルの画像信号が高速シリアルドライバ１５０ａにより駆動される高速インターフェースを経由してカメラ本体１ｂのデジタル信号処理部１０３ｂに供給される。そのデジタル信号処理部１０３ｂで画像信号に所定の信号処理が行なわれた後、カードＩ／Ｆ１０６ｂによってメモリカードスロット１０７ｂ内のメモリカード１０８ｂに所定の信号処理が行なわれた後の画像信号が画像ファイルとなって記録される。
【００４５】
なお、図２には、ＡＥモード時の測光により被写界が暗いと判定されたときに閃光を発する閃光部１２１ｂとその閃光を発する閃光制御部１２０ｂも図示されており、他にＡＷＢセンサ１１ｂや、計時用のタイマ１１０ｂやカレンダ時計部１１１ｂなども図示されている。
【００４６】
ここで上記課題を解決するために本実施形態のレンズユニット１ａに配備された構成要素を抜き出して本発明の効果を説明する。
【００４７】
図３は、コンバージョンレンズ３ａが装着されているか装着されていないかによって測距センサ１１１ａの光軸がどのように変化するかを説明する図である。
【００４８】
図３（ａ）にはコンバージョンレンズ２ａが装着されていない場合の測距センサ１１１ａの光軸が点線で示されており、図３（ｂ）にはコンバージョンレンズ２ａが装着された場合の測距センサ１１１ａの光軸の変化状態が点線で示されている。
【００４９】
図３（ａ）、（ｂ）に示す様にコンバージョンレンズ２ａが装着されなければ、レンズ先端から例えば３ｍの位置で撮影光軸と交わる様に取り付けられている測距センサ１１１ａにより概略の被写体距離の測定が問題なく行なわれるが、コンバージョンレンズ３ａが装着されると測距センサ１１１ａの光軸がコンバージョンレンズを通過することにより点線で示す様に変化して、測距センサにより概略の被写体距離を測定しようとしてもその概略の被写体距離を正確に測定することができなくなることがあった。
【００５０】
そこで、本実施形態では、コンバージョンレンズ２ａが装着されたときには、検出センサ１１３ａによりコンバージョンレンズ２ａの装着を検出してその検出センサ１１３ａの検出結果に応じてヘッドＣＰＵ１９ａが測距センサ１１１ａの使用を禁止して積算回路１６ａにのみ被写体距離の測定を行なわせている。
【００５１】
こうすると、測距センサ１１１ａの睨み角がコンバージョンレンズ３ａにより変化したとしても測距センサ１１１ａの使用が禁止されて積算回路１６ａでのみ被写体距離の測定が正確に行なわれるので、被写体距離の測定に多少時間を要するようにはなってもＣＣＤＡＦによる被写体距離の測定が確実に行なわれる様になる。
【００５２】
以上説明した様にコンバージョンレンズが装着されたとしても確実に被写体距離の測定が行なわれるレンズユニットが実現する。
【００５３】
図４は、第２実施形態を説明する図である。
【００５４】
なお、この第２の実施形態のレンズユニット２ａの内部の構成は図示はしないが、図３に示す第１の実施形態のレンズユニット１ａの内部構成と同じ構成を持つものとする。
【００５５】
第１の実施形態のレンズユニット１ａでは、測距センサ１１１ａの使用を無条件に禁止したが、第２の実施形態のレンズユニット２ａではコンバージョンレンズ４ａの種類によって測距センサ２１１ａの使用を許可する構成に改良している。
【００５６】
図４には、レンズユニット２ａ側にラインセンサのように複数の検出部を持つセンサ２１３ａを配設するとともにそのレンズユニット２ａに装着されるコンバージョンレンズ４ａ側にそれらのセンサのうちの少なくとも一つのセンサの出力を反転させる構造を持たせておいていずれかの種類のコンバージョンレンズ４ａがレンズユニット２ａに装着されたときに上記センサ２１３ａから上記コンバージョンレンズ４ａの種類に応じたコードを出力させることによって、装着されたコンバージョンレンズ４ａの種類を検出することができる様にした例が示されている。上記センサ２１３ａが本発明にいう検出センサにあたる。
【００５７】
この例では、その本発明にいう検出センサにあたるセンサ２１３ａから出力されるコードに応じて本発明にいう使用許否手段にあたるヘッドＣＰＵ１９ａによってコンバージョンレンズの種類が判別され判別された種類が特定の種類のコンバージョンレンズであった場合にのみ測距センサ２１１ａの使用が禁止される。
【００５８】
図４に示す構成にしても良い。
【００５９】
図５、図６は、第３の実施形態を説明する図である。
【００６０】
図５には、第１、第２の実施形態が備える測距センサ１１１ａ，２１１ａの測定ラインが示されており、図６にはそれらの測距センサ１１１ａ，２１１ａを、異なる睨み角を持つ複数の測距センサ１１１１ａに変更した場合にそれぞれの測距センサが測定する測定ラインがそれぞれ示されている。
【００６１】
第３の実施形態では、図６に示す測距センサ１１１１ａがレンズユニット１ａに配備された以外は、図１、２に示すレンズユニットとほぼ同じ構成を持つものとして以降説明する。
【００６２】
もしも、レンズユニット（図１、図４参照）に搭載されている測距センサ１１１ａ，２１１ａが１ライン型のものであったとすると、コンバージョンレンズが装着されたときに測距センサの睨み角が図５に示す様に上下方向（矢印で示されている）いずれかにずれてしまって最悪の場合には測定不能に陥ってしまうことがある。
【００６３】
これに対してレンズユニットに搭載されている測距センサが複数の測距センサからなる多ライン型のものであった場合には、コンバージョンレンズが装着されたときに複数の測距センサ１１１１ａの睨み角がずれて複数の測距センサそれぞれの測定ラインが図６に示す様に上下にずれたとしても複数の測距センサのうちのいずれかが元々の測定ラインに位置することになるのでその元々の測定ラインを睨んでいる測距センサを選択することができる様にしておけば、被写体距離の測定は問題なく行なわれる。
【００６４】
そこで、第３の実施形態のレンズユニットにおいては、図１、図２に示すレンズユニットに複数の測距センサからなる多ライン型の測距センサ１１１１ａを１ライン型のものの代わりに配備しておいて、検出センサ１１３ａによりコンバージョンレンズの装着が検出されたことを受けてヘッドＣＰＵ１９ａが上記複数の測距センサ１１１１ａのうちの距離測定のために用いる測距センサ（被写体領域の中央に位置する）を選択する構成に改良している。
【００６５】
ここで、図１、図２のレンズユニット１ａ，２ａが備える１ライン型の測距センサ（１１１ａ、２１１ａ）を複数の測距センサからなる多ライン型のもの１１１１ａに置き換えたとしてその複数の測距センサ１１１１ａが配備されたときに本体ＣＰＵ１００ｂとヘッド側ＣＰＵ１９ａとの双方が行なう撮影処理の手順を説明する。
【００６６】
図７は、複数の測距センサ１１１１ａが配備されたときに図２に示すヘッドＣＰＵ１９ａと本体ＣＰＵ１００ｂとが行なう撮影処理の手順を示すフローチャートである。前半のステップＳ７０１からステップＳ７０７までの処理がヘッドＣＰＵ１９ａの処理であり、ステップＳ７０８からステップＳ７１０までの処理が本体ＣＰＵ１００ｂの処理になる。
【００６７】
ステップＳ７０１で、検出センサ１１３ａ（図１参照）によりコンバージョンレンズ３ａの有無を検出する。ステップＳ７０１でコンバージョンレンズ３ａが装着されていないと判定したら、無し側へ進んでステップＳ７０２で積算回路１６ａにＡＥ処理を行なわせる。次のステップＳ７０３へ進んでステップＳ７０３で測距センサ１１１１ａのデータを利用して概略距離の演算を行なって次のステップＳ７０４で積算回路１６ａにＣＣＤＡＦを行なわせ、絞り／フォーカ／ズーム制御部１７ａに指示して被写体距離に応じた位置（合焦位置）にフォーカスレンズを移動させる。次のステップＳ７０５でＴＧ１８ａに指示してＣＣＤ１２ａに露光を開始させ、所定のシャッタ秒時が経過したら次のステップＳ７０６へ進んでステップＳ７０５でＣＣＤ１２ａから画像データを出力させる。図７のフロー中には‘出力させる’ということを‘読み出し’という言葉で示してある。
【００６８】
ステップＳ７０７でＡ／Ｄ変換部１４ａにＡ／Ｄ変換を行わせた後、高速シリアルドライバ１５ａにより駆動される高速シリアルインターフェースを通してデジタル信号処理部１０３ａにデジタルの画像信号を供給させる。
【００６９】
これ以降の処理は本体ＣＰＵ１００ｂが行なう。
【００７０】
本体ＣＰＵ１００ｂは、ステップＳ７０８でデジタル信号処理部１０３ｂに信号（画像）処理を行なわせた後、同じ信号処理部１０３ｂ内の圧縮部に画像信号の圧縮を行なわせる。そしてカードＩ／Ｆ１０７ｂに圧縮情報と圧縮した画像信号とを供給してそれらを画像ファイルとしてメモリスロット１０８ｂ内のメモリカード３００に記録させてこのフローの処理を終了する。
【００７１】
以上が、コンバージョンレンズ３ａが装着されていないときの撮影処理である。
【００７２】
ここからはコンバージョンレンズ３ａが装着されたときの撮影処理を説明する。
【００７３】
ステップＳ７０１で、コンバージョンレンズ３ａが装着されていると判定したら有り側へ進んでステップＳ７１１でＡＦセンサが１ライン型であるか多ライン型であるかを判定する。測距センサが多ライン型であると判定したら多ライン側へ進んでステップＳ７１２で睨みのずれを補正するために複数の測距センサのうちの距離測定のために用いるセンサを選択してそのセンサに測定を行なわせて被写体距離を得る。そうしたらステップＳ７０３へ進んでステップＳ７０３〜ステップＳ７１０の処理を行なってこのフローの処理を終了する。なお、ステップＳ７０１でコンバージョンレンズ３ａの有無を検出するだけでなく、図４に示す構成にしてコンバージョンレンズ４ａの種類を検出することができるようにしておくと良い。
【００７４】
また、ステップＳ７１１で測距センサが１ラインであると判定したら１ライン側へ進んでステップＳ７１３で睨み角のずれが許容範囲であるかどうかを判定する。
【００７５】
このステップＳ７１３で睨み角のずれが許容範囲（図５、図６参照）であるかどうかを判定する。次のステップＳ７１３で許容範囲内であると判定したら許容範囲側へ進んでステップＳ７０３からステップＳ７１０の処理を行なってこのフローの処理を終了し、許容範囲外であると判定したら、許容範囲外側へ進んで測距センサのデータを利用せずにステップＳ７０４からステップＳ７１０の処理を行なってこのフローの処理を終了する。
【００７６】
なお、ステップＳ７１１の処理をレンズユニットの種類を判定する処理に変更してさらにステップＳ７１２を測距センサの使用を許可する処理に変更すると、第２の実施形態の処理手順になり、また、ステップＳ７０１で有り側へ進んだときにはステップＳ７０２とステップＳ７０３との双方をスキップしてステップＳ７０４以降の処理を無条件に行なう様にすると、第１の実施形態の処理になる。
【００７７】
以上説明した様に、コンバージョンレンズが装着されたとしても上記ＣＣＤＡＦが確実に行なわれるレンズユニットが実現する。
【図面の簡単な説明】
【００７８】
【図１】本発明の一実施形態であるレンズユニットを示す図である。
【図２】レンズユニット１ａがカメラ本体１ｂに装着された状態にあるときの電気系統の構成を示すブロック図である。
【図３】コンバージョンレンズ２ａの有無によって測距センサ１１１ａの光軸がどのように変化するかを説明する図である。
【図４】第２実施形態を説明する図である。
【図５】第３の実施形態を説明する図である。
【図６】第３の実施形態を説明する図である。
【図７】ヘッドＣＰＵが行なう撮影処理を示すフローチャートである。
【符号の説明】
【００７９】
１ａ  ２ａ  レンズユニット
１００ａ    電源制御部
１０１ａ    ＤＣ／ＤＣコンバータ
１１１ａ      測距センサ
１１２ａ    コンバージョンレンズ支持部
１１３ａ      検出センサ
１１ａ    撮影光学系
１２ａ    ＣＣＤ
１３ａ    アナログ信号処理部
１４ａ    Ａ／Ｄ部
１４０ａ    デジタル信号処理部
１４１ａ    ＪＰＥＧ圧縮部
１５０ａ    高速シリアルドライバ
１５１ａ    ３線シリアルＩ／Ｆ
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０４ｂ    フレームメモリ
１０５ｂ    ＬＣＤ制御部
１０５０ｂ    ＬＣＤ
１０６ｂ    カードＩ／Ｆ  
１０７ｂ    メモリカードスロット
１０８ｂ    メモリカード
１５０ｂ    高速シリアルドライバ
１５５ｂ    ３線シリアルドライバ
３ａ  ４ａ  コンバージョンレンズ
【図１】
2007226131.tif 000003
【図２】
2007226131.tif 000004
【図３】
2007226131.tif 000005
【図４】
2007226131.tif 000006
【図５】
2007226131.tif 000007
【図６】
2007226131.tif 000008
【図７】
2007226131.tif 000009